(57)【要約】【課題】  肥料散布作業のスピードアップが図れると共に、隣接する肥料散布行程で肥料の散布部分が重なったり、肥料が散布されない部分が生じたりするのを減少させる又はなくすことができるブロードキャスタを提供する。【解決手段】  トラクタ５の後部に装着されて圃場を往復移動しながら該圃場に肥料を散布するブロードキャスタにおいて、マーカー剤を貯留するマーカー剤タンク６と、次の肥料散布行程での肥料散布作業におけるトラクタ５の走行の指標となるように前記マーカー剤によって圃場に目印Ｃを付けるべく、前記マーカー剤タンク６内のマーカー剤を次の肥料散布行程での未肥料散布部分２５に供給するマーカー剤供給手段１８とを設ける。【選択図】図１
2010011823.tif 000002
【特許請求の範囲】
【請求項１】
トラクタ（５）の後部に装着されて圃場を往復移動しながら該圃場に肥料を散布するブロードキャスタにおいて、
マーカー剤を貯留するマーカー剤タンク（１７）と、次の肥料散布行程での肥料散布作業におけるトラクタ（５）の走行の指標となるように前記マーカー剤によって圃場に目印（Ｃ）を付けるべく、前記マーカー剤タンク（１７）内のマーカー剤を次の肥料散布行程での未肥料散布部分（２５）に供給するマーカー剤供給手段（１８）とを設けたことを特徴とするブロードキャスタ。
【請求項２】
マーカー剤供給手段（１８）は、マーカー剤タンク（１７）内のマーカー剤を吐出するポンプ（２１）と、該ポンプ（２１）から吐出されたマーカー剤を案内するガイド管（２２）とを有することを特徴とする請求項１に記載のブロードキャスタ。
【請求項３】
マーカー剤供給手段（１８）は、肥料散布範囲（Ａ）の左右方向一側方にマーカー剤を供給する姿勢と、肥料散布範囲（Ａ）の左右方向他側方にマーカー剤を供給する姿勢とに姿勢変更可能とされていることを特徴とする請求項１又は２に記載のブロードキャスタ。
【請求項４】
圃場に散布する肥料を貯留する肥料タンク（６）と、この肥料タンク（６）内の肥料を散布する散布装置（７）と、これら肥料タンク（６）及び散布装置（７）を支持し且つトラクタ（５）の後部に装着される装着フレーム（８）を備え、この装着フレーム（８）に、前記マーカー剤タンク（１７）とマーカー剤供給手段（１８）とを支持したことを特徴とする請求項１〜３のいずれか１項に記載のブロードキャスタ。
【発明の詳細な説明】
【技術分野】
【０００１】
本発明は、圃場に肥料を散布するブロードキャスタに関するものである。
【背景技術】
【０００２】
従来、圃場に肥料を散布する機械としてブロードキャスタが知られている（特許文献１参照）。
このブロードキャスタは、トラクタの後部に装着されて圃場の一端側と他端側との間を往復移動しながら該圃場に肥料を散布する。すなわち、圃場の一端から他端までの間を一往復する間において、往路行程で肥料を略一定の左右幅で散布すると共に、復路行程で前記往路行程で肥料を散布した既肥料散布部分に隣接する未肥料散布部分に肥料を散布する。そして、これを繰り返し行うことにより圃場全面に肥料が散布される。
【特許文献１】特公平０６−２００２号公報
【発明の開示】
【発明が解決しようとする課題】
【０００３】
従来、ブロードキャスタを用いた肥料散布作業では、既に肥料を散布した既肥料散布部分と、該既肥料散布部分に隣接する、まだ肥料を散布していない未散布部分とを目視によって判別して（既肥料散布部分の散布範囲の端を目視によって判別して）、肥料の散布作業を行っているが、ブロードキャスタでは、既肥料散布部分と未肥料散布部分との境界が分かり難く、既肥料散布部分の散布範囲の端を目視によって判別しながら肥料散布作業を行うと肥料散布作業に時間がかかるという問題がある。また、隣接する肥料散布行程で肥料の散布部分が重なったり、肥料が散布されない部分が生じたりする惧れがあるなどの問題もある。
【０００４】
そこで、本発明は、前記問題点に鑑みて、前記問題を解消できるブロードキャスタを提供することを目的とする。
【課題を解決するための手段】
【０００５】
前記技術的課題を解決するために本発明が講じた技術的手段は、トラクタの後部に装着されて圃場を往復移動しながら該圃場に肥料を散布するブロードキャスタにおいて、
マーカー剤を貯留するマーカー剤タンクと、次の肥料散布行程での肥料散布作業におけるトラクタの走行の指標となるようにマーカー剤によって圃場に目印を付けるべく、前記マーカー剤タンク内のマーカー剤を次の肥料散布行程での肥料散布部分に供給するマーカー剤供給手段とを設けたことを特徴とする。
また、マーカー剤供給手段は、マーカー剤タンク内のマーカー剤を吐出するポンプと、該ポンプから吐出されたマーカー剤を案内するガイド管とから構成してもよい。
【０００６】
また、マーカー剤供給手段は、肥料散布範囲の左右方向一側方にマーカー剤を供給する姿勢と、肥料散布範囲の左右方向他側方にマーカー剤を供給する姿勢とに姿勢変更可能とされているのがよい。
また、圃場に散布する肥料を貯留する肥料タンクと、この肥料タンク内の肥料を散布する散布装置と、これらを肥料タンク及び散布装置を支持し且つトラクタ後部に装着される装着フレームを備え、この装着フレームに、前記マーカー剤タンクとマーカー剤供給手段とを支持するのがよい。
【発明の効果】
【０００７】
本発明によれば、肥料散布作業を行った既肥料散布部分に隣接する未肥料散布部分に肥料を散布する場合、前行程での肥料散布作業においてマーカー剤によって圃場につけた目印に沿ってトラクタを走行させて肥料散布作業を行うことにより、既肥料散布部分の端を目視によって判別しなくても肥料の散布が行え、肥料散布作業のスピードアップが図れると共に、隣接する肥料散布行程で肥料の散布部分が重なったり、肥料が散布されない部分が生じたりするのを減少させる又はなくすことができる。
【発明を実施するための最良の形態】
【０００８】
以下、本発明の実施の形態を図面を参照して説明する。
図１、２において、１は、圃場に粒状又は粉状の肥料を散布する作業機であるブロードキャスタであり、このブロードキャスタ１は、上部の１本のトップリンク２と下部の左右一対のロワーリンク３とからなる三点リンク機構４等の装着機構を介してトラクタ５の後部に昇降自在に直装されて、圃場の一端と他端との間を複数回往復移動しながら圃場全面に肥料を散布する。
このブロードキャスタ１は、主として、肥料を貯留する肥料タンク６（ホッパ）と、この肥料タンク６内の肥料を散布する散布装置７と、これら肥料タンク６及び散布装置７を支持する装着フレーム８とを有し、その左右方向のセンターＡがトラクタ５の左右方向のセンターＡと一致するようにトラクタ５の後方側に配置されている。
【０００９】
前記装着フレーム８の前部には、トップリンク２の後端側が枢支連結されるトップリンク取付部９と、ロワーリンク３の後端側が枢支連結されるロワーリンク取付部１０とが設けられている。
肥料タンク６の底部には、肥料タンク６内の肥料の排出量を調整するシャッタ装置１１が設けられている。
散布装置７は、シャッタ装置１１を介して落下する肥料を圃場に散布する散布筒１２（スパウト）と、この散布筒１２を左右に揺動させる駆動部１３とを有する。
【００１０】
駆動部１３には、入力軸１４が設けられ、この入力軸１４はトラクタ５のＰＴＯ軸１５にユニバーサルジョイントを有するジョイント軸（図示省略）によって連動連結されており、ＰＴＯ軸１５からの動力によって散布筒１２が左右に揺動駆動される。
このブロードキャスタ１は、シャッタ装置１１の開度を調整し、散布筒１２を左右に揺動させながらトラクタ５を走行させることにより、圃場の一端から他端に至る一行程において、略一定の左右幅Ｂ（散布幅）で肥料が散布される。
なお、本実施形態におけるブロードキャスタ１は、筒揺動形のブロードキャスタ１を例示したが、羽根車（スピンナ、インペラ）を回転させることにより肥料を散布する羽根車形のブロードキャスタ１を採用してもよい。
【００１１】
また、本実施形態におけるブロードキャスタ１には、肥料散布作業を行っているときに、次の肥料散布行程での肥料散布作業におけるトラクタ５の走行の指標となる目印Ｃを圃場に付けるマーカー装置１６が備えられている。
このマーカー装置１６は、マーカー剤を貯留するマーカー剤タンク１７と、次の肥料散布行程での肥料散布作業におけるトラクタ５の走行の指標となるように前記マーカー剤によって圃場に目印Ｃを付けるべく前記マーカー剤タンク１７内のマーカー剤を次の肥料散布行程での未肥料散布部分２５に供給するマーカー剤供給手段１８と、これらマーカー剤タンク１７及びマーカー剤供給手段１８とを支持する回転テーブル１９とを有する。
【００１２】
肥料タンク６の後方側で且つ、肥料散布装置７の上方側に配置されている。
マーカー剤供給手段１８は、マーカー剤タンク１７内のマーカー剤を吸引して吐出口から吐出するポンプ２１と、該ポンプ２１から吐出されたマーカー剤をブロードキャスタ１の左右方向一側方で且つ肥料の散布範囲Ｂ外に案内するガイド管２２とを有する。
回転テーブル１９は、肥料タンク６の後方側で装着フレーム８に設けられた載置板２０上に上下方向の回動軸芯Ｘ回りに回動自在に支持されており、前記回動軸芯Ｘは左右方向において、ブロードキャスタ１の左右方向のセンターＡと一致するように設けられている。
【００１３】
２３は、ガイド管２２を支持する吊持部材である。
前記ガイド管２２は、ポンプ２１からブロードキャスタ１の左右方向一側方に延出されており、回転テーブル１９を回動軸芯Ｘ回りに１８０°回動させることにより、ポンプ２１からブロードキャスタ１の左右他側方に延出された形態とすることができる。
また、本実施形態では、ガイド管２２は、該ガイド管２２の排出口２２ａが、次の肥料散布行程での肥料散布予定部分の左右方向の中央に位置するような長さに形成されている。
【００１４】
また、ガイド管２２のマーカー剤の排出口２２ａは下方に向けて指向されている。
マーカー剤としては、目印Ｃとして認識し易い色のもので且つ圃場に無害のものが採用され、例えば、石灰が採用される。
また、マーカー剤としては、その他、認識し易い色の肥料や薬剤等が採用され、状態としては、粒状、粉状、液状等の流動可能なものが採用される。
また、圃場に散布する肥料と同じものをマーカー剤として使用してもよく、圃場に散布する肥料と同じものをマーカー剤として使用する場合、肥料タンク６内の肥料をマーカー剤供給手段１８を介して圃場に目印Ｃとして供給することができるように構成してもよく、この場合、肥料タンク６をマーカー剤タンク１７として兼用することができる。
【００１５】
前記構成のブロードキャスタ１にあっては、図３に示すように、トラクタ５に装着して該トラクタ５を圃場の一端から他端へと走行させることにより、略一定の左右幅Ｂで肥料が散布される。
このとき、ガイド管２２を、現在、肥料散布作業を行っている部分２４に隣接する未肥料散布部分２５（次に肥料の散布を行う部分）に供給できるように延出させておき、肥料の散布作業を行いながら該未肥料散布部分２５に、マーカー剤を間欠的に又は連続的に落下供給する。
【００１６】
すると、次の肥料散布行程での肥料散布予定部分の左右方向中央位置に、トラクタ５の走行方向に所定間隔をおいて、または、すじ状に、マーカー剤による目印Ｃが付される。
圃場の端まで肥料を散布すると、圃場の枕地でトラクタ５をＵターンさせて、今、肥料散布を終えた既肥料散布部分に隣接する未肥料散布部分２５に肥料の散布を行うが、このとき、前行程で付けたマーカー剤による目印Ｃにトラクタ５の左右方向のセンターＡを位置合わせしてトラクタ５を走行させて肥料散布作業を行うことにより、既肥料散布部分の端を目視によって判別しなくても肥料の散布が行え、肥料散布作業のスピードアップが図れると共に、隣接する肥料散布行程で肥料の散布部分が重なったり、肥料が散布されない部分が生じたりするのを減少させる又はなくすことができる。
【００１７】
また、次の肥料散布作業を行う場合、ガイド管２２の延出方向がそのままであると、ガイド管２２が既肥料散布部分側に延出することとなるので、圃場の枕地でトラクタ５をＵターンさせる際に、マーカー装置１６を１８０°回転させて、トラクタ５に対するガイド管２２の延出方向を逆方向とさせておく。
これによって、その次に肥料散布作業を行う未肥料散布部分に目印Ｃを付けることができる。
なお、前記実施形態において、マーカー剤による目印Ｃを付ける位置は、未肥料散布部分２５の左右方向中央位置に限定されることはなく、左右方向任意の位置に目印Ｃを付けてもよく、この場合、トラクタ５の走行の指標とし易い位置にマーキングするのがよく、例えば、既肥料散布部分に近い方の前輪の走行部分に目印Ｃを付けてもよい。
【００１８】
また、トラクタ５に、圃場に付けた目印Ｃに位置合わせするための部材を別途設けてもよい。
また、マーカー剤供給手段１８としては、前記実施形態のものに限定されることはなく、例えば、図４に示すように、マーカー剤タンク１７の底部の排出口１７ａに連通するガイド管２２内に、モータＭによって左右方向の軸芯回りに回転駆動されるスクリューコンベヤＫを設け、このスクリューコンベヤＫによってマーカー剤をガイド管２２の排出口に移送できるようにしたものであってもよい。
【図面の簡単な説明】
【００１９】
【図１】トラクタにブロードキャスタを装着した状態の背面図である。
【図２】トラクタにブロードキャスタを装着した状態の側面図である。
【図３】ブロードキャスタによって肥料を散布する状態を示す平面図である。
【図４】他の形態のマーカー剤供給手段を示す背面概略図である。
【符号の説明】
【００２０】
５    トラクタ
６    肥料タンク
７    散布装置
８    装着フレーム
１７    マーカー剤タンク
１８    マーカー剤供給手段
２５    未肥料散布部分
２１    ポンプ
２２    ガイド管
Ａ    肥料散布範囲（肥料散布幅）
Ｃ    目印
【図１】
2010011823.tif 000003
【図２】
2010011823.tif 000004
【図３】
2010011823.tif 000005
【図４】
2010011823.tif 000006